(57)【要約】【課題】一層の小型化を図ることができる通信機器を提供する。【解決手段】板状に成形された合成樹脂製の弾性部材４１、４１を、音量調節ボタン５の挟持片２６、２６と前ケース１１の内面とにより前後から挟持させることで、当該弾性部材４１、４１によって音量調節ボタン５を押し込み操作前の状態へ復帰させるようにした。したがって、コイルバネを採用していた従来の構造と比べると、音量調節ボタン５周りの構造を簡素化することができ、ひいてはインターホン親機１の小型化、低コスト化等を図ることができる。【選択図】図５
2020027789.tif 000002
【特許請求の範囲】
【請求項１】
本体ケースの表面に、押し込み操作可能なボタンが設けられてなる通信機器であって、
合成樹脂製の弾性部材が、前記ボタンと、前記本体ケースの内面とにより表裏から挟持されており、
前記ボタンを押し込み操作すると前記弾性部材が弾性変形する一方、押し込み操作を解除すると、前記弾性部材の弾性力によって前記ボタンが押し込み操作前の状態へ復帰することを特徴とする通信機器。
【請求項２】
前記本体ケースの前面に前記ボタンが設けられているとともに、前記ボタンが左右方向へ長い操作部を有しており、
前記操作部の右部を押し込み操作すると第１のスイッチが操作され、左部を押し込み操作すると第２のスイッチが操作される通信機器であって、
前記ボタンの後面で左右方向での中央となる位置に、上下方向を軸として前記ボタンを傾動可能に支持するための軸支部が設けられている一方、
左右方向へ長い板状の鍔片の中央部に、前方へ膨出するように前記操作部が設けられているとともに、前記鍔片の上縁及び下縁で左右方向での中央となる位置に、夫々上下外方へ突出する挟持片が設けられており、
各前記挟持片の前面と前記本体ケースの内面との間に、夫々前記弾性部材が配されていることを特徴とする請求項１に記載の通信機器。
【発明の詳細な説明】
【技術分野】
【０００１】
本発明は、たとえばインターホン機器等の通信機器に関するものである。
【背景技術】
【０００２】
従来、通信機器の一例であるインターホン機器には、たとえば呼出操作や応答操作、設定操作等する際にユーザーが操作可能なボタンが設けられている。そして、そのようなボタンを初期位置側へ付勢する構造としては、本体ケースに内蔵したコイルバネを利用する構造が一般的である（たとえば特許文献１）。
【先行技術文献】
【特許文献】
【０００３】
【特許文献１】特開２０１３−１３１９１４号公報
【発明の概要】
【発明が解決しようとする課題】
【０００４】
しかしながら、コイルバネを利用する構造を採用すると、ボタン周りの構造の小型化、ひいては通信機器全体の小型化に限度があるという問題があった。
【０００５】
そこで、本発明は、上記問題に鑑みなされたものであって、一層の小型化を図ることができる通信機器を提供しようとするものである。
【課題を解決するための手段】
【０００６】
上記目的を達成するために、本発明のうち請求項１に記載の発明は、本体ケースの表面に、押し込み操作可能なボタンが設けられてなる通信機器であって、合成樹脂製の弾性部材が、ボタンと、本体ケースの内面とにより表裏から挟持されており、ボタンを押し込み操作すると弾性部材が弾性変形する一方、押し込み操作を解除すると、弾性部材の弾性力によってボタンが押し込み操作前の状態へ復帰することを特徴とする。
請求項１に記載の発明によれば、弾性部材によってボタンを押し込み操作前の状態へ復帰させるようになっているため、コイルバネを採用していた従来の構造と比べると、ボタン周りの構造を簡素化することができ、ひいては通信機器の小型化、低コスト化等を図ることができる。
【０００７】
請求項２に記載の発明は、請求項１に記載の発明において、本体ケースの前面にボタンが設けられているとともに、ボタンが左右方向へ長い操作部を有しており、操作部の右部を押し込み操作すると第１のスイッチが操作され、左部を押し込み操作すると第２のスイッチが操作されるようになっているとともに、ボタンの後面で左右方向での中央となる位置に、上下方向を軸としてボタンを傾動可能に支持するための軸支部が設けられている一方、左右方向へ長い板状の鍔片の中央部に、前方へ膨出するように操作部が設けられているとともに、鍔片の上縁及び下縁で左右方向での中央となる位置に、夫々上下外方へ突出する挟持片が設けられており、各挟持片の前面と本体ケースの内面との間に、夫々弾性部材が配されていることを特徴とする。
請求項２に記載の発明によれば、左右方向へ長い操作部を有し、操作部の右部を押し込み操作すると第１のスイッチが操作され、左部を押し込み操作すると第２のスイッチが操作されるようなボタンについて、極めてボタン周りの構造を簡素化することができるし、小さな弾性部材で、ボタンを確実に押し込み操作前の状態へ復帰させることができ、通信機器の一層の小型化を図ることができる。
【発明の効果】
【０００８】
本発明によれば、合成樹脂製の弾性部材が、ボタンと、本体ケースの内面とにより表裏から挟持されており、ボタンを押し込み操作すると弾性部材が弾性変形する一方、押し込み操作を解除すると、弾性部材の弾性力によってボタンが押し込み操作前の状態へ復帰するようになっている。したがって、コイルバネを採用していた従来の構造と比べると、ボタン周りの構造を簡素化することができ、ひいては通信機器の小型化、低コスト化等を図ることができる。
【図面の簡単な説明】
【０００９】
【図１】インターホン親機を前側から示した斜視説明図である。
【図２】応答ボタン及び音量調節ボタンが配された状態にある前ケースを後側から示した斜視説明図である。
【図３】応答ボタン及び音量調節ボタンを前側から示した斜視説明図である。
【図４】音量調節ボタンが配された状態にある前ケースを後側から示した斜視説明図である。
【図５】押し込み操作前の音量調節ボタンの状態を示した断面説明図である。
【図６】操作部の左部を押し込み操作された状態を示した断面説明図である。
【発明を実施するための形態】
【００１０】
以下、本発明の一実施形態となるインターホン親機について、図面にもとづき詳細に説明する。
【００１１】
図１は、インターホン親機１を前側から示した斜視説明図である。図２は、応答ボタン４及び音量調節ボタン５が配された状態にある前ケース１１を後側から示した斜視説明図である。図３は、応答ボタン４及び音量調節ボタン５を前側から示した斜視説明図である。図４は、音量調節ボタン５が配された状態にある前ケース１１を後側から示した斜視説明図である。図５は、押し込み操作前の音量調節ボタン５の状態を示した断面説明図である。図６は、操作部２２の左部を押し込み操作された状態を示した断面説明図である。
【００１２】
インターホン親機１は、前ケース１１と後ケース１２とを組み付けてなる本体ケース２を有しており、該本体ケース２には、インターホン子機（図示せず）との間での通話動作等といったインターホン親機１の主たる動作を制御する制御基板等が内蔵されている。また、本体ケース２の前面左部には、インターホン子機との通話のための通話部３が掛止可能となっている。さらに、本体ケース２の前面右部には、インターホン子機からの呼び出しに応答するための応答ボタン４や通話の音量を調節するための音量調節ボタン５等が設けられている。なお、１３は、音量調節ボタン５を露出させるためのボタン窓であり、１４は、応答ボタン４を露出させるための第２のボタン窓である。
【００１３】
ここで、本発明の要部となる音量調節ボタン５の構造、及び音量調節ボタン５の取り付けに係る構造について説明する。
まず、音量調節ボタン５の構造について説明する。音量調節ボタン５は、左右方向へ長い矩形板状の鍔片２１と、鍔片２１の中央部に設けられ、前方へ膨出する操作部２２とを備えてなる。また、鍔片２１の後面で操作部２２よりも右側（前方から見て）となる位置には、後方へ突出する第１の操作突起２３が設けられている。一方、鍔片２１の後面で操作部２２よりも左側（前方から見て）となる位置には、後方へ突出する第２の操作突起２４が設けられている。さらに、鍔片２１の後面における操作部２２の上下両側で、且つ、左右方向で中央となる位置には、自身を上下方向を軸として前後へ傾動可能とするための軸支部２５が夫々設けられている。加えて、鍔片２１の上縁及び下縁における左右方向で中央となる位置には、後述する弾性部材４１を前ケース１１の内面との間で挟持するための挟持片２６が上下方向で外方へ夫々突設されている。
【００１４】
次に、上記音量調節ボタン５を本体ケース２内で支持する支持体３１について説明する。支持体３１は、応答ボタン４と、応答ボタン４から下方へ一体的に突設された支持部３２とを有する。支持部３２は、後方に開口する箱状の基台３２ａと、基台３２ａの前面に開設された挿通孔３２ｂと、挿通孔３２ｂを上下方向に跨ぐように架設された傾動軸３２ｃ（図２に示す）とを有する。なお、挿通孔３２ｂは、鍔片２１よりも左右方向へは長く、上下方向へは短い矩形孔とされている。
【００１５】
そして、支持体３１及び音量調節ボタン５の取り付けについて説明すると、まず前ケース１１の内面で、ボタン窓１３の上下に板状に成形された合成樹脂製（たとえばシリコンゴム等のゴム製）の弾性部材４１、４１を配置する。次に、操作部２２をボタン窓１３から前ケース１１の前方へ突出させつつ、挟持片２６、２６を弾性部材４１、４１の後面に当接させるようにして音量調節ボタン５を配置する（図４）。その後、応答ボタン４を第２のボタン窓１４から前ケース１１の前方へ突出させつつ、傾動軸３２ｃを軸支部２５、２５に軸支させるようにして支持体３１を配置し（図２）、後ケース１２を前ケース１１に組み付ける等して支持体３１を挟持固定すれば、支持体３１及び音量調節ボタン５の取り付けは完了となる（図５）。なお、このような取付状態において、弾性部材４１、４１は、音量調節ボタン５と前ケース１１の内面とにより前後から挟持されている。
【００１６】
上述のようにして取り付けられた音量調節ボタン５は、左右方向での中央部で上下方向を軸として前後へ傾動可能に支持されており、当該音量調節ボタン５の右部を押し込み操作すると、音量調節ボタン５は傾動軸３２ｃを軸として傾動し、第１の操作突起２３が、その後方に配置されている基板４２上の第１のスイッチ４３を操作する（結果として、本実施形態では音量が大きくなる）。この押し込み操作に伴い、弾性部材４１、４１は弾性変形しており、音量調節ボタン５への押し込み操作が解除されると、弾性部材４１、４１の弾性力によって、音量調節ボタン５は押し込み操作前の状態へ復帰する。一方、音量調節ボタン５の左部を押し込み操作すると、音量調節ボタン５は傾動軸３２ｃを軸として上記とは逆方向へ傾動し、図６に示すように第２の操作突起２４が第２のスイッチ４４を操作する（結果として、本実施形態では音量が小さくなる）。また、当該押し込み操作においても、弾性部材４１、４１は弾性変形しており、音量調節ボタン５への押し込み操作の解除をもって、弾性部材４１、４１の弾性力により、音量調節ボタン５は押し込み操作前の状態へ復帰する。
【００１７】
以上のような構成を有するインターホン親機１によれば、板状に成形された合成樹脂製の弾性部材４１、４１を、音量調節ボタン５の挟持片２６、２６と前ケース１１の内面とにより前後から挟持させることで、当該弾性部材４１、４１によって音量調節ボタン５を押し込み操作前の状態へ復帰させるようになっている。したがって、コイルバネを採用していた従来の構造と比べると、音量調節ボタン５周りの構造を簡素化することができ、ひいてはインターホン親機１の小型化、低コスト化等を図ることができる。
【００１８】
また、左右方向へ長い板状の鍔片２１の中央部に、前方へ膨出するように操作部２２を設けるとともに、鍔片２１の上縁及び下縁で左右方向での中央となる位置に、夫々上下外方へ突出する挟持片２６、２６を設けており、各挟持片２６の前面と前ケース１１の内面との間に夫々弾性部材４１を配している。したがって、左右方向へ長い操作部２２を有し、操作部２２の右部を押し込み操作すると第１のスイッチ４３が操作され、左部を押し込み操作すると第２のスイッチ４４が操作されるような音量調節ボタン５について、極めて音量調節ボタン５周りの構造を簡素化することができるし、小さな弾性部材４１で、音量調節ボタン５を確実に押し込み操作前の状態へ復帰させることができ、インターホン親機１の一層の小型化を図ることができる。
【００１９】
なお、本発明に係る通信機器は、通信機器の全体的な構成は勿論、ボタンに係る構成等についても、本発明の趣旨を逸脱しない範囲で必要に応じて適宜変更することができる。
【００２０】
たとえば、上記実施形態では通信機器の一例であるインターホン親機について説明しているが、インターホン子機や集合住宅インターホンシステムにおける玄関子機、ナースコールシステムで使用する各種通信機器等、本発明は、他の通信機器についても好適に採用することができる。
また、実施形態のような所定方向に長い操作部を有するボタンではなく、操作部が円形のボタンとする等、ボタンや操作部の形状は適宜設計変更可能である。
さらに、弾性部材により押し込み操作前の状態へ復帰させるボタンを、１つの通信機器に複数個設けたとしても何ら問題はない。
加えて、上記実施形態では、応答ボタンと支持部とを一体成形しているが、言うまでもなく両者を別体として構成することは可能である。
【符号の説明】
【００２１】
１・・インターホン親機（通信機器）、２・・本体ケース、５・・音量調節ボタン（ボタン）、１１・・前ケース、２１・・鍔片、２２・・操作部、２３・・第１の操作突起、２４・・第２の操作突起、２５・・軸支部、２６・・挟持片、３１・・支持体、３２・・支持部、３２ａ・・基台、３２ｂ・・挿通孔、３２ｃ・・傾動軸、４１・・弾性部材、４２・・基板、４３・・第１のスイッチ、４４・・第２のスイッチ。
【図１】
2020027789.tif 000003
【図２】
2020027789.tif 000004
【図３】
2020027789.tif 000005
【図４】
2020027789.tif 000006
【図５】
2020027789.tif 000007
【図６】
2020027789.tif 000008